(57)【特許請求の範囲】
【請求項１】
血糖値を測定する血糖値測定装置において、
音声報知イベントの優先度、該音声報知イベントに対応する音声ファイルの指定されたアドレスおよび前記音声報知イベントの発生の有無を示すフラグが紐付けされて記憶されたデータ記憶部と、
前記データ記憶部を参照して、発生中の前記音声報知イベントの数を算出するとともに、発生中の前記音声報知イベントに関する各情報を取得するイベント検出部と、
前記イベント検出部で算出された発生中の前記音声報知イベントの数が複数である場合、発生中の前記音声報知イベントの優先度の比較を行う優先度判定部と、
前記優先度判定部により最も優先度が高いと判定された前記音声報知イベントに対応する音声ファイルの再生を行う再生制御部と、
前記再生制御部によって再生された前記音声ファイルを再度再生させる再生ボタンと、を備え、
前記音声報知イベントが新たに発生し、前記優先度判定部によって新たに発生した音声報知イベントの優先度が最も高いと判定された場合、
前記再生制御部は、再生中の音声ファイルの再生を停止し、新たに発生した前記音声報知イベントに対応する音声ファイルの再生を行う
を備える血糖値測定装置。
【請求項２】
前記音声報知イベントが解消され、前記優先度判定部によって解消された前記音声報知イベントの優先度が最も高いと判断された場合、
前記再生制御部は、解消された前記音声報知イベントに対応する音声ファイルの再生を停止し、優先度の最も高い発生中の前記音声報知イベントに対応する音声ファイルの再生を行う
請求項１に記載の血糖値測定装置。
【発明の詳細な説明】
【技術分野】
【０００１】
本発明は、血糖値を測定するために用いる血糖値測定装置に関する。
【背景技術】
【０００２】
従来、糖尿病患者の診断、治療、医療指導を行うため、携帯型の血糖値測定装置が用いられている。この血糖値測定装置は、医師や糖尿病療養指導士の指導の下、糖尿病患者（ユーザ）自身で血液中のグルコース濃度を測定する装置である。
【０００３】
ところで、糖尿病患者は、その病気の特性上、視力に障害を持ってしまう場合がある。そのため、糖尿病患者は、血糖値測定装置の表示部に表示された文字等を確認することが困難であり、血糖値測定装置を正確に操作できない可能性がある。
【０００４】
そこで、視力に障害のあるユーザでも使えるようにするため、血糖値を測定するための動作や測定結果、発生したエラー等のイベントを音声で報知する血糖値測定装置（特許文献１）が考えられた。この血糖値測定装置は、音声で報知すべきイベント（以下、「音声報知イベント」という）を検出すると、検出した音声報知イベントに応じた音声ファイルを再生する。これにより、再生された音声ファイルに応じた音声が音声出力部から出力される。
【先行技術文献】
【特許文献】
【０００５】
【特許文献１】特開２００３−５８３５９号公報
【発明の概要】
【発明が解決しようとする課題】
【０００６】
しかしながら、特許文献１に記載された血糖値測定装置では、複数の音声報知イベントが同時あるいはほぼ同時に発生した場合、発生した音声報知イベントに対応するすべての音声ファイルが順次再生される。そのため、装置の操作に不慣れなユーザや視力に障害のあるユーザが、複数再生される音声ファイルの中から、どの音声による報知に対処すればよいのか判断に迷う、という問題があった。
【０００７】
本発明はこのような状況に鑑みてなされたものであり、最優先で対処する必要のある音声報知をユーザに明確に示すことができる血糖値測定装置、音声報知方法およびプログラムを提供することを目的とする。
【課題を解決するための手段】
【０００８】
上記課題を解決し、本発明の目的を達成するため、本発明は、音声報知イベントの優先度、該音声報知イベントに対応する音声ファイルの指定されたアドレスおよび音声報知イベントの発生の有無を示すフラグが紐付けされて記憶されたデータ記憶部を参照して、発生中の音声報知イベントの数を算出するとともに、発生中の音声報知イベントに関する各情報を取得する。そして、算出された発生中の音声報知イベントの数が複数である場合、発生中の音声報知イベントの優先度の比較を行う。そして、最も優先度が高いと判定された音声報知イベントに対応する音声ファイルの再生を行う。さらに、再生ボタンが操作されると、再生制御部によって再生された音声ファイルを再度再生させる。そして、音声報知イベントが新たに発生し、優先度判定部によって新たに発生した音声報知イベントの優先度が最も高いと判定された場合、再生制御部は、再生中の音声ファイルの再生を停止し、新たに発生した音声報知イベントに対応する音声ファイルの再生を行う。
【発明の効果】
【０００９】
本発明によれば、音声報知イベントが複数発生している場合、発生中の音声報知イベントの中で最も優先度の高い音声報知イベントに対応する音声ファイルのみを再生することができる。そして、音声報知イベントが新たに発生し、優先度判定部によって新たに発生した音声報知イベントの優先度が最も高いと判定された場合、再生制御部は、再生中の音声ファイルの再生を停止し、新たに発生した音声報知イベントに対応する音声ファイルの再生を行う。これにより、最優先で対処する必要のある音声報知をユーザに明確に示すことができる、という効果がある。また、再生ボタンを操作することにより、ユーザが聞き漏らした音声を再度再生することができるため、再生された音声の内容を確実にユーザに報知することができる。
【図面の簡単な説明】
【００１０】
【図１】本発明の一実施形態に係る血糖値測定装置の上面側を示す外観斜視図である。
【図２】本発明の一実施形態に係る血糖値測定装置の下面側を示す外観斜視図である。
【図３】本発明の一実施形態に係るチップを示す外観斜視図である。
【図４】本発明の一実施形態に係るＡ−Ａ´線に沿った血糖値測定装置を示す断面図である。
【図５】本発明の一実施形態に係る血糖値測定装置の内部構成を示すブロック図である。
【図６】本発明の一実施形態に係るイベント情報基本テーブルを示す説明図である。
【図７】本発明の一実施形態に係る制御部の機能的な構成を示すブロック図である。
【図８】本発明の一実施形態に係る血糖値測定装置の動作を示すフローチャートである。
【発明を実施するための形態】
【００１１】
以下、本発明の血糖値測定装置の実施の形態例について、図１〜図８を参照して説明する。なお、各図において共通の部材には、同一の符号を付す。
【００１２】
説明は以下の順序で行う。
１．一実施形態例
１−１．血糖値測定装置の構成例
１−２．血糖値測定装置の内部構成例
１−３．制御部の機能的な構成例
１−４．血糖値測定装置の動作例
【００１３】
１．一実施形態例
本発明の一実施形態例を、図１〜図８を参照して説明する。本実施の形態では、血糖値を測定するための動作や測定結果、発生したエラー等を音声で報知する血糖値測定装置において、音声を報知すべきイベント（音声報知イベント）が複数発生した際に、最も重要な音声ファイルのみを再生する血糖値測定装置１０１の例について説明する。
【００１４】
１−１．血糖値測定装置の構成例
図１は、本発明の一実施形態に係る血糖値測定装置１０１の上面側を示す外観斜視図、図２は、この血糖値測定装置１０１の下面側を示す外観斜視図である。
血糖値測定装置１０１は、図１に示すように、その上面側に、各種の情報を表示する表示部１０２と、血糖値測定装置１０１のＯＮ／ＯＦＦを切り替える電源ボタン１０３と、データ記憶部４０５（後述する図４参照）に記憶された血糖値の過去履歴を、表示部１０２に表示させる履歴呼出ボタン１０４と、一度再生された発生中の音声報知イベントに関する音声ファイルを再度再生させるための再生ボタン１０８とを備える。また、血糖値測定装置１０１は、図２に示すように、その下面側に、再生中の音声を出力する音声出力部１１２と、音声出力部１１２から出力される音声の大きさを調節する音量設定スイッチ１１３とを備える。
【００１５】
また、血糖値測定装置１０１は、チップ（tip）１１０が着脱されるホルダ１０７と、ホルダ１０７に装着されたチップ１１０を取り外すイジェクタ１０６とを備える。また、血糖値測定装置１０１は、各部が配置される筐体１０５を備える。筐体１０５の内部には、不図示のプリント回路基板が配置されており、所定の演算・血糖値の測定処理を行う。
【００１６】
チップ１１０は、ケース１１１に格納され、血糖値を測定するまでは外気に触れない状態で衛生的かつ乾燥した状態に保たれる。チップ１１０の内部には、試験紙２０２（後述する図２参照）が固定されている。
【００１７】
試験紙２０２に血液が浸潤すると、化学反応を起こして試験紙２０２が発色する。血糖値測定装置１０１は、試験紙２０２が発色する部位に光を照射し、この部位が反射した光の受光光量を測定することによって、血糖値を測定する。
【００１８】
図３は、本発明の一実施形態に係るチップ１１０を示す外観斜視図である。
チップ１１０は、試験紙２０２と、試験紙２０２の周囲に形成される４本の突起部１１４ａ〜１１４ｄとを備える。突起部１１４ａ〜１１４ｄは、ホルダ１０７にはめ込まれ、チップ１１０がホルダ１０７に固定されるとともに、外縁部に設けられたフランジがホルダ１０７の先端に密着して、外部からの入光を遮る。
【００１９】
図４は、図１におけるホルダ１０７およびチップ１１０のＡ−Ａ′線における断面図である。
【００２０】
血糖値測定装置１０１は、試験紙２０２に対して所定の波長の光を発する発光部３０３と、光を受光し、受光信号を発生する受光部３０４とを備える。
チップ１１０は、先端に付着した血液を毛細管現象により吸い取る細管３０２と、細管３０２を通じて吸い取られた血液がしみ込む試験紙２０２とを備える。
【００２１】
発光部３０３には、例えば、波長が６３０ｎｍの光線を発光する発光ダイオードが用いられる。受光部３０４には、例えば、フォトダイオードやフォトトランジスタが用いられる。
【００２２】
受光部３０４は、ホルダ１０７にチップ１１０が取り付けられている状態では、試験紙２０２から反射した光を受光し、受光信号を発生する。
【００２３】
チップ１１０の細管３０２は、所定の剛性を有する剛性材料で構成される。このような剛性材料としては、例えば、各種樹脂材料が挙げられる。特に、検体を迅速に導入、展開するのに適したものとして、アクリル系樹脂等の親水性の高い材料または親水化処理されたものが好ましい。
【００２４】
試験紙２０２は、血液（検体）を吸収可能な担体に、試薬（発色試薬）を担持（含浸）させたものである。この担体は、好ましくは多孔性膜（シート状多孔質基材）で構成される。この場合、多孔性膜は、血液中の赤血球を濾過できる程度の孔径を有するものが好ましい。
【００２５】
試験紙２０２の担体としては、多孔性膜の他に、例えば、不織布、織布、延伸処理したシート等のシート状多孔質基材が挙げられる。
多孔性膜等の担体の構成材料としては、ポリエステル類、ポリアミド類、ポリオレフィン類、ポリスルホン類またはセルロース類等が挙げられるが、試薬を溶解した水溶液を含浸させたり、血液の採取時には血液の吸収・展開を迅速に行うため、親水性を有する材料または、親水化処理されたりしたものが好ましい。
【００２６】
担体（多孔質膜）に含浸する試薬（発色試薬）としては、例えば、グルコースオキシダーゼ（ＧＯＤ）と、ペルオキシダーゼ（ＰＯＤ）と、４−アミノアンチピリン（４−ＡＡ）、Ｎ−エチル−Ｎ−（２−ヒドロキシ−３−スルホプロピル）−ｍ−トルイジン（ＴＯＯＳ）のような発色剤とが挙げられる。さらに、リン酸緩衝液のような緩衝剤が含まれていてもよい。なお、試薬の種類、成分については、これらに限定されないことは言うまでもない。
【００２７】
１−２．血糖値測定装置の内部構成例
次に、血糖値測定装置１０１の内部構成例について図５を参照して説明する。
【００２８】
図５は、本発明の一実施形態に係る血糖値測定装置１０１の内部構成を示すブロック図である。
血糖値測定装置１０１は、上述した表示部１０２、音声出力部１１２、発光部３０３、受光部３０４に加え、受光部３０４が発生した受光信号をデジタルデータに変換するＡ／Ｄ変換部４０９、各部を制御する制御部４０２、制御発振部４０３、時計発振部４０４、データ記憶部４０５、外部出力部４０６、電源４０７、電源電圧検出部４０８および操作部４１０を有する。
【００２９】
筐体１０５の内部に設けられるプリント回路基板には、マイクロコンピュータ（ＭＰＵ：MicroProcessingUnit）で構成される制御部４０２が搭載されており、血糖値測定装置１０１の諸動作を制御する。この制御部４０２には、受光部３０４からの信号に基づいて目的とする血中成分（ブドウ糖）を算出する演算部（不図示）が内蔵される。この演算部は、必要に応じて、例えばヘマトクリット値補正計算等も行う。
【００３０】
発光部３０３および受光部３０４は、ホルダ１０７（図３参照）に収納、保持される。発光部３０３は、制御部４０２と電気的に接続され、受光部３０４は、増幅器（不図示）およびＡ／Ｄ変換部４０９を介して制御部４０２と電気的に接続される。
【００３１】
発光部３０３は、制御部４０２からの信号により作動し、所定の時間間隔でパルス光を発する。このパルス光は、例えば、その周期が０．５〜３．０ｍｓｅｃ程度、１パルスの発光時間が０．０５〜０．３ｍｓｅｃ程度とされる。また、このパルス光の波長は、好ましくは５００〜７２０ｎｍ程度、より好ましくは５８０〜６５０ｎｍ程度とされる。
【００３２】
ホルダ１０７の先端部には、チップ１１０が着脱自在に装着される。ホルダ１０７にチップ１１０が装着されると、ホルダ１０７の先端面は、チップ１１０が備える試験紙２０２に対面する。この状態で、発光部３０３から発せられた光は試験紙２０２に照射され、試験紙２０２で反射された反射光は、受光部３０４に受光され、光電変換される。受光部３０４は、その受光光量に応じたアナログ信号を出力し、所望の値に増幅する。その後、アナログ信号は、Ａ／Ｄ変換部４０９にてデジタル信号に変換され、制御部４０２に入力される。
【００３３】
制御部４０２は、Ａ／Ｄ変換部４０９を介して受光部３０４から供給される受光信号に基づいて、受光光量を測定する。そして、制御部４０２は、測定された受光光量に基づいて、試験紙２０２に付着した血液の血糖値を測定する。測定された血糖値は、血糖値の測定日時と紐付けられてデータ記憶部４０５の第３のメモリ（後述）に記憶される。
【００３４】
また、制御部４０２は、音声報知イベントの発生の有無を検出する。そして、発生中の音声報知イベントに関するフラグを立て、音声報知イベントが解消されると音声報知イベントに関するフラグを下ろす。なお、このフラグは図５にて後述するイベント情報基本テーブル５０２に書き込まれる。
【００３５】
また、制御部４０２は、音声報知イベントに関するフラグが立っているか否かを確認し、フラグが立っている音声報知イベントに対応する音声ファイルを再生する。再生された音声ファイルに応じた音声が音声出力部１１２から出力される。ただし、音声報知イベントが複数発生している場合には、優先度が最も高く設定された音声報知イベントに対応する音声ファイルのみを再生する。なお、制御部４０２の音声再生制御に関する機能については、図７にて後述する。
【００３６】
制御発振部４０３は、タイマを構成するもので、一定時間間隔のクロックパルスを発振し、制御部４０２のマイクロコンピュータの動作用基準信号の供給を行う。
【００３７】
時計発振部４０４は、絶対時間（日時）を特定する時計を構成するもので、一定時間間隔のクロックパルスを発振し、制御部４０２が内蔵する時計制御回路の動作用基準信号の供給を行う。
【００３８】
外部出力部４０６は、求められた血糖値のデータを、例えばパソコンのような外部装置へ出力する。このため、外部出力部４０６は、例えば、ＲＳ−２３２Ｃのような通信ポートを内蔵する。また、赤外線通信を行う場合には、外部出力部４０６は、赤外線発光素子およびその駆動回路を内蔵する。
【００３９】
電源４０７として、不図示の電池が筐体１０５の内部に装填される。電源４０７は、血糖値測定装置１０１が備える各ブロックに電力を供給する。電源電圧検出部４０８は、この電池の電圧を検出し、検出された電圧値（検出値）を制御部４０２へ出力する。これにより、電池の残量をチェックすることができる。
【００４０】
操作部４１０は、上述した電源ボタン１０３、履歴呼出ボタン１０４等を総称するものである。操作部４１０は、以下のような種々のスイッチの入力を検出し、その信号を制御部４０２へ入力する。スイッチの種類としては、電源スイッチ、履歴呼出スイッチ、時刻設定・変更スイッチ、リセットスイッチ、ブザー作動／不作動選択スイッチ、５０Ｈｚ／６０Ｈｚ商用電源周波数選択スイッチ等が挙げられる。電源スイッチは、電源ボタン１０３の押圧により、電源４０７からの電力のオン又はオフを切り替える。
【００４１】
データ記憶部４０５は、不図示の第１のメモリ（ＲＡＭ）、第２のメモリ（ＲＯＭ）および書き換え可能な不揮発性メモリである第３のメモリ（不揮発性ＲＡＭ）を備える。
【００４２】
第１のメモリには、受光部３０４より入力された受光光量のデジタルデータが、所定のフォーマットに従って記憶される。
【００４３】
第２のメモリには、血糖値測定装置１を制御するプログラムが記憶されている。また、第２のメモリには、音声報知イベントが発生した際に再生される音声ファイルが記憶される。
【００４４】
第３のメモリには、測光値から求めた吸光度と目的とする血糖値との関係（検量線）や、個々の血糖値測定装置１毎に固有の校正値が予め記憶される。ここで言う固有の校正値には、例えば、受光光量の規定値、吸光度計算の補正係数等がある。また、第３のメモリには、過去に測定した数日分の血糖値が、その測定日時と紐付けられて記憶される。
【００４５】
また、第３のメモリには、図６に示すイベント情報基本テーブル５０２が記憶される。
イベント情報基本テーブル５０２には、発生中の音声報知イベントに関する音声ファイルの再生制御を制御部４０２が行うための情報が書き込まれる。
【００４６】
このイベント情報基本テーブル５０２の「イベントＩＤ」フィールドには、音声報知イベントを識別するためのＩＤが書き込まれる。
【００４７】
また、イベント情報基本テーブル５０２の「音声ファイル保存先アドレス」には、同一レコードにある「イベントＩＤ」フィールドに格納されたイベントＩＤで示される音声報知イベントが発生した際に再生される音声ファイルのアドレスが書き込まれる。
【００４８】
また、イベント情報基本テーブル５０２の「イベントフラグ」フィールドには、同一レコードにある「イベントＩＤ」フィールドに格納されたＩＤで示される音声報知イベントの発生の有無を示すフラグが書き込まれる。すなわち、‘真’が格納された「イベントフラグ」と同一のレコードの「イベントＩＤ」に格納されたＩＤで示される音声報知イベントが、発生中の音声報知イベントに該当する。一方、‘偽’が格納された「イベントフラグ」と同一のレコードの「イベントＩＤ」に格納されたＩＤで示される音声報知イベントが、発生中でない音声報知イベントとなる。
【００４９】
また、イベント情報基本テーブル５０２の「優先度」フィールドには、同一レコードにある「イベントＩＤ」フィールドに格納されたＩＤで示される音声報知イベントの優先度が書き込まれる。「優先度」フィールドに格納される優先度は、例えば‘１’、‘２’または‘３’の３種類の数値であり、数値が低いほど優先度が高いことを示す。
【００５０】
優先度‘１’の音声報知イベントは、ユーザにとって最もリスクの高い音声報知イベントに該当し、血糖値の測定結果が異常に高い（あるいは、異常に低い）場合に発生する音声報知イベントである。
【００５１】
優先度‘２’の音声報知イベントは、ユーザにとって２番目にリスクの高い音声報知イベントに該当し、周辺の温度や明るさが正常の範囲にない場合やチップ１１０に汚れが付着している場合に発生する音声報知イベントである。
【００５２】
優先度‘３’の音声報知イベントは、ユーザにとってあまりリスクのない音声報知イベントに該当し、血糖値の測定結果が通常の場合や電池の残量不足が生じた場合に発生する音声報知イベントである。なお、同じ優先度が設定された音声報知イベントは同時に発生しないようになっている。
【００５３】
１−３．制御部の機能的な構成例
次に、音声ファイルの再生制御に関する制御部４０２の機能的な構成について図７を参照して説明する。
【００５４】
図７は、本発明の一実施形態に係る制御部４０２の機能的な構成を示すブロック図である。
制御部４０２は、音声報知イベント検出部６０２と、優先度判定部６０３と、再生制御部６０４とから構成される。
【００５５】
音声報知イベント検出部６０２は、イベント情報基本テーブル５０２の「イベントフラグ」フィールドを確認することにより、発生中の音声報知イベントの数を算出する。具体的には、「イベントフラグ」フィールドが‘真’のレコードの数を、発生中の音声報知イベントの数として算出する。
【００５６】
また、音声報知イベント検出部６０２は、イベント情報基本テーブル５０２から、発生中の音声報知イベントに関する各情報（ＩＤ、優先度、アドレス等）を取得する。
【００５７】
また、音声報知イベント検出部６０２は、イベント情報基本テーブル５０２の「イベントフラグ」フィールドを常に監視しており、音声報知イベントの新たなる発生および解消を確認する。
【００５８】
優先度判定部６０３は、新たな音声報知イベントの発生が検出されて発生中の音声報知イベントの数が複数であると検出された場合、新たに発生した音声報知イベント（のイベントＩＤ）に対応する優先度と、発生中の音声報知イベントに対応する優先度との比較を行う。具体的には、全ての発生中の音声報知イベントの中で、新たに発生した音声報知イベントの優先度が最も高いか否かを確認する。
【００５９】
また、優先度判定部６０３は、発生中の音声報知イベントの数が複数であると検出された後に、音声報知イベントが解消された場合、解消された音声報知イベント（のイベントＩＤ）に対応する優先度と、発生中の音声報知イベントに対応する優先度との比較を行いその高低を判定する。より具体的には、発生中の音声報知イベントと比較して解消された音声報知イベントの優先度が最も高いか否かを確認する。
【００６０】
再生制御部６０４は、音声報知イベント検出部で６０２検出された発生中の音声報知イベントの数に応じて音声ファイルの再生制御を行う。
【００６１】
再生制御部６０４は、発生中の音声報知イベントの数が一つである場合、発生中の音声報知イベントに対応するアドレスに保存された音声ファイルを検索して再生する。
【００６２】
再生制御部６０４は、発生中の音声報知イベントの数が複数である場合、優先度判定部６０３による比較結果に基づいた再生制御を行う。
【００６３】
再生制御部６０４は、優先度判定部６０３によって、新たに発生した音声報知イベントに対応する優先度が最も高いことが確認されると、新たに発生した音声報知イベント以外の発生中の音声報知イベントに対応する音声ファイルが再生中であるか否かを確認する。再生中であるならば、再生を停止し、新たに発生した音声報知イベントに対応するアドレスに保存された音声ファイルを検索して再生する。再生中でないならば、新たに発生した音声報知イベントに対応するアドレスに保存された音声ファイルを検索して再生する。これにより、優先度の最も高い音声報知イベントに対応する音声ファイルを確実に再生することができる。
【００６４】
再生制御部６０４は、優先度判定部６０３によって、解消された音声報知イベントに対応する優先度が最も高いことが確認されると、当該解消された音声報知イベントに対応する音声ファイルが再生中であるか否かを確認する。そして、再生中であるならば、再生を停止し、発生中の音声報知イベントの中で優先度の高い音声報知イベントに対応するアドレスに保存された音声ファイルを検索して再生する。再生中でないならば、発生中の音声報知イベントの中で優先度の高い音声報知イベントに対応するアドレスに保存された音声ファイルを検索して再生する。これにより、優先度の最も高い音声報知イベントが解消された場合、まだ解消されていない音声報知イベントに対応する未再生の音声ファイルを確実に再生することができる。
【００６５】
１−４．血糖値測定装置の動作例
次に、音声報知イベント発生時における音声ファイルの再生制御に関する血糖値測定装置１０１の動作について図８を参照して説明する。
【００６６】
図８は、本発明の一実施形態に係る血糖値測定装置１０１の動作を示すフローチャートである。
【００６７】
制御部４０２は、新たに音声報知イベントが発生したことを検出すると、音声報知イベント検出部６０２に発生中の音声報知イベントが複数であるか否かを確認させる（ステップＳ７０１）。発生中の音声報知イベントが一つであるならば（ステップＳ７０１のＮＯ）制御部４０２は、再生制御部６０４に、新たに発生した音声報知イベントに対応する音声ファイルを再生させる。これにより、再生された音声ファイルに応じた音声が音声出力部１１２から出力される（ステップＳ７０２）。そして、処理が終了される。
【００６８】
一方、発生中の音声報知イベントが複数（ここでは２つの場合を例示）であるならば（ステップＳ７０１のＹＥＳ）、制御部４０２は、優先度判定部６０３に、発生中の音声報知イベントの中で新たに発生した音声報知イベントの優先度が最も高いか否かを確認させる（ステップＳ７０３）。新たに発生した音声報知イベントの優先度が最も高いならば（ステップＳ７０３のＹＥＳ）、制御部４０２は、再生制御部６０４に、新たに発生した音声報知イベント以外の発生中の音声報知イベントに対応する音声ファイルが再生中であるか否かを確認させる（ステップＳ７０４）。
【００６９】
再生中の音声ファイルがあるならば（ステップＳ７０４のＹＥＳ）、制御部４０２は、再生制御部６０４に音声ファイルの再生を停止させる（ステップＳ７０５）。そして、制御部４０２は、再生制御部６０４に、新たに発生した音声報知イベントに対応する音声ファイルを再生させ、再生された音声ファイルに応じた音声が音声出力部１１２から出力される（ステップＳ７０６）。一方、再生中の音声ファイルがないならば（ステップＳ７０４のＮＯ）、ステップＳ７０６の処理に移行する。
【００７０】
以上の処理が完了した後、制御部４０２は、音声報知イベント検出部６０２に、音声報知イベントが解消されたか否かを確認させる（ステップ７０７）。音声報知イベントが解消されていない間は（ステップＳ７０７のＮＯ）、ステップＳ７０７の処理を繰り返す。一方、音声報知イベントが解消されたならば（ステップＳ７０７のＹＥＳ）、制御部４０２は、優先度判定部６０３に、発生中の音声報知イベントと比較して解消された音声報知イベントの優先度が最も高いか否かを確認させる（ステップＳ７０８）。
【００７１】
解消された音声報知イベントの優先度が最も高いならば（ステップＳ７０８のＹＥＳ）、制御部４０２は、再生制御部６０４に、解消された音声報知イベントに対応する音声ファイルが再生中であるか否かを確認させる（ステップＳ７０９）。再生中であるならば（ステップＳ７０９のＹＥＳ）、制御部４０２は、再生制御部６０４に再生中の音声ファイルの再生を停止させる（ステップＳ７１０）。そして、制御部４０２は、再生制御部６０４に、発生中の音声報知イベントに対応する音声ファイルを再生させ、再生された音声ファイルに応じた音声が音声出力部１１２から出力され（ステップＳ７１１）、処理が終了する。一方、解消された音声報知イベントに対応する音声ファイルが再生中でないならば（ステップＳ７０９のＮＯ）、ステップＳ７１１の処理に移行する。
【００７２】
上述したステップＳ７０３の処理にて、新たに発生した音声報知イベントの優先度が最も高くはないならば（ステップＳ７０３のＮＯ）、音声ファイルを再生することなく、ステップＳ７０７の処理に移行する。
【００７３】
上述したステップＳ７０８の処理にて、発生中の音声報知イベントのうち、解消された音声報知イベントの優先度が最も高くないならば（ステップＳ７０８のＮＯ）、音声ファイルを再生することなく処理を終了する。なお、本実施形態の動作例では、発生中の音声報知イベントの数が２の場合を例示したが、３以上の場合にも対応して適宜処理フローを変更しうる。
【００７４】
以上説明したように、本発明の一実施形態では、新たに音声報知イベントが発生した場合、あるいは、音声報知イベントが解消された場合、発生中の音声報知イベントの中で最も優先度の高い音声報知イベントに対応する音声ファイルのみを再生することができる。これにより、最優先で対処する必要のある音声報知イベントをユーザに明確に示すことができる。
【００７５】
その上、発生中の音声報知イベントのうち最も優先度の高い音声報知イベントに対応する音声ファイルのみが再生され、その他の発生中の音声報知イベントに対応する音声ファイルは再生されないので、電池の消耗を防止することもできる。
【００７６】
なお、本発明は上述した実施の形態に限られるものではなく、本発明の要旨を逸脱することなくその他種々の構成を取り得ることは勿論である。
【符号の説明】
【００７７】
１０１…血糖値測定装置、１０２…表示部、１０３…電源ボタン、１０４…呼出ボタン、１０５…筐体、１０６…イジェクタ、１０７…ホルダ、１０８…再生ボタン、１１０…チップ、１１１…ケース、１１２…音声出力部、１１３…音量設定スイッチ、１１４ａ…突起部、２０２…試験紙、３０２…細管、３０３…発光部、３０４…受光部、４０２…制御部、４０３…制御発振部、４０４…時計発振部、４０５…データ記憶部、４０６…外部出力部、４０７…電源、４０８…電源電圧検出部、４０９…Ａ／Ｄ変換部、４１０…操作部、５０２…イベント情報基本テーブル、６０２…音声報知イベント検出部、６０３…優先度判定部、６０４…再生制御部
【図１】
0005756318.tif 000002
【図２】
0005756318.tif 000003
【図３】
0005756318.tif 000004
【図４】
0005756318.tif 000005
【図５】
0005756318.tif 000006
【図６】
0005756318.tif 000007
【図７】
0005756318.tif 000008
【図８】
0005756318.tif 000009